(57)【要約】【課題】患者の状態の変化に応じて適切な看護を迅速に実行することを課題とする。【解決手段】看護支援装置は、患者に必要とされる看護の度合いを示す看護度に変化がある場合には、看護指示として既にオーダされた既存オーダの見直しを行い、変化した看護度に応じて不要となるオーダを抽出する。そして、既存オーダに対応する看護指示と不要なオーダに対応する看護指示とを区別した状態でユーザに提供する。このようなことから、看護師は、患者の状態の変化に応じて、看護の都度、看護計画に含まれる不要な看護指示を試行錯誤する必要がなく、患者の状態の変化に応じて適切な看護を迅速に実行することができる。【選択図】図１
2010218444.tif 000002
【特許請求の範囲】
【請求項１】
患者に必要とされる看護の度合いを示す看護度と、前記看護度に応じてオーダされる看護指示とを紐付けて記憶する看護内容記憶部と、
前記看護度の入力を受け付けた場合に、当該入力された看護度に変化があるか否かを判定する看護度判定部と、
前記看護度判定部により看護度に変化があると判定された場合には、当該変化があると判定された看護度に対応する看護指示を前記看護内容記憶部から検索し、検索された看護指示に基づいて、看護指示として既にオーダされた既存オーダから不要オーダを抽出する不要オーダ抽出部と、
前記不要オーダ抽出部により抽出された不要オーダに対応する看護指示を前記既存オーダに対応する看護指示と区別して表示出力する看護指示出力部と
を有することを特徴とする看護支援装置。
【請求項２】
前記不要オーダ抽出部により不要オーダが抽出された場合に、当該抽出された不要オーダを無効とするまでの猶予期間を設定する猶予期間設定部をさらに有し、
前記看護指示出力部は、前記猶予期間が経過するまでの間、前記不要オーダを前記既存オーダと区別して表示することを特徴とする請求項１に記載の看護支援装置。
【請求項３】
患者に必要とされる看護の度合いを示す看護度の入力を受け付けた場合に、当該入力された看護度に変化があるか否かを判定する看護度判定手順と、
前記看護度判定手順により看護度に変化があると判定された場合には、前記看護度と当該看護度に応じてオーダされる看護指示とを紐付けて記憶する看護内容記憶部から、前記変化があると判定された看護度に対応する看護指示を検索して、検索された看護指示に基づいて、看護指示として既にオーダされた既存オーダから不要オーダを抽出する不要オーダ抽出手順と、
前記不要オーダ抽出手順により抽出された不要オーダに対応する看護指示を前記既存オーダに対応する看護指示と区別して表示出力するオーダ出力手順と
をコンピュータに実行させることを特徴とする看護支援プログラム。
【発明の詳細な説明】
【技術分野】
【０００１】
本発明は、看護支援装置および看護支援プログラムに関する。
【背景技術】
【０００２】
従来、病院やクリニックなどでは、看護指示や看護計画に基づいて適切な看護を実行する試みがなされている。例えば、ＰＤＡ（Personal Digital Assistant）などの端末を看護師に携帯させ、看護師がＰＤＡを操作して看護指示や看護計画を確認できるようにすることで、適切な看護を実行できるようにする技術が存在する。
【先行技術文献】
【特許文献】
【０００３】
【特許文献１】特開２００６−１３３９０７号公報
【発明の概要】
【発明が解決しようとする課題】
【０００４】
ところで、担当看護師などにより立案された看護計画は、患者の状態の変化に応じて適切な看護を行うために、看護指示の追加や削除など、見直しの必要があった。しかしながら、看護計画の見直しが患者の状態の変化に追いついておらず、看護師自身の経験や感覚に基づいて、看護の都度、看護計画に含まれる不要な看護指示を試行錯誤せざるを得ない現状である。
【０００５】
開示の技術は、上記に鑑みてなされたものであって、患者の状態の変化に応じた適切かつ迅速な看護の実現を支援することが可能な看護支援装置および看護支援プログラムを提供することを目的とする。
【課題を解決するための手段】
【０００６】
本願の開示する技術は、一つの態様において、患者に必要とされる看護の度合いを示す看護度と、前記看護度に応じてオーダされる看護指示とを紐付けて記憶する看護内容記憶部と、前記看護度の入力を受け付けた場合に、当該入力された看護度に変化があるか否かを判定する看護度判定部と、前記看護度判定部により看護度に変化があると判定された場合には、当該変化があると判定された看護度に対応する看護指示を前記看護内容記憶部から検索し、検索された看護指示に基づいて、看護指示として既にオーダされた既存オーダから不要オーダを抽出する不要オーダ抽出部と、前記不要オーダ抽出部により抽出された不要オーダに対応する看護指示を前記既存オーダに対応する看護指示と区別して表示出力する看護指示出力部とを有する。
【発明の効果】
【０００７】
本願の開示する技術の一つの態様によれば、患者の状態の変化に応じた適切かつ迅速な看護の実現を支援できる。
【図面の簡単な説明】
【０００８】
【図１】図１は、実施例１に係る看護支援装置を説明するための図である。
【図２】図２は、実施例１に係る看護支援装置の構成を示す図である。
【図３】図３は、実施例１に係る患者データ記憶部に記憶される情報の構成例を示す図である。
【図４】図４は、実施例１に係る看護度・看護指示関連付け記憶部に記憶される情報の構成例を示す図である。
【図５】図５は、実施例１に係る看護指示猶予期間記憶部に記憶される情報の構成例を示す図である。
【図６】図６は、実施例１に係る不要オーダ記憶部に記憶される情報の構成例を示す図である。
【図７】図７は、実施例１に係る看護計画記憶部に記憶される情報の構成例を示す図である。
【図８】図８は、実施例１に係る看護指示記憶部に記憶される情報の構成例を示す図である。
【図９】図９は、実施例１に係る患者データ作成の流れを説明する図である。
【図１０】図１０は、実施例１に係る看護支援装置による処理の流れを示す図である。
【図１１】図１１は、実施例１に係る看護支援装置による処理の流れを示す図である。
【図１２】図１２は、実施例２に係る看護支援プログラムを実行するコンピュータを示す図である。
【発明を実施するための形態】
【０００９】
以下に、図面を参照しつつ、本願の開示する看護支援装置および看護支援プログラムの一実施形態について詳細に説明する。なお、看護支援装置の一実施形態として後述する実施例１により、本願が開示する看護支援装置が限定されるものではない。
【実施例１】
【００１０】
実施例１に係る看護支援装置は、看護師による看護を支援するために、看護指示や看護計画を看護師に提供することを概要とする。そして、実施例１に係る看護支援装置の骨子は、次に説明する点にある。
【００１１】
すなわち、実施例１に係る看護支援装置は、患者に必要とされる看護の度合いを示す看護度に変化がある場合には、看護指示として既にオーダされた既存オーダの見直しを行い、変化した看護度に応じて不要となるオーダを抽出する。そして、図１に示すように、既存オーダに対応する看護指示と不要なオーダに対応する看護指示とを区別した状態でユーザに提供する点にある。図１は、実施例１に係る看護支援装置を説明するための図である。以下、実施例１に係る看護支援装置について具体的に説明する。
【００１２】
［看護支援装置の構成（実施例１）］
図２は、実施例１に係る看護支援装置の構成を示す図である。同図に示すように、実施例１に係る看護支援装置２００は、無線ＬＡＮなどのネットワーク１を介して、看護師が看護計画や看護指示を確認するための看護師端末１００と通信可能な状態にある。
【００１３】
看護師端末１００は、看護師にそれぞれ支給される院内ＰＨＳや、看護師が個人的に有する携帯電話やＰＨＳ、携帯端末などに該当する。看護師は、看護師端末１００を用いて、看護支援装置２００から看護指示の提供を受け、この看護指示を参考に、担当患者の看護を行う。
【００１４】
また、看護支援装置２００は、図２に示すように、通信制御Ｉ／Ｆ部２１０、記憶部２２０および制御部２３０を有する。通信制御Ｉ／Ｆ部２１０は、看護師端末１００との間でやり取りされる各種情報に関する通信を制御する。
【００１５】
記憶部２２０は、制御部２３０による各種処理に必要なデータおよびプログラムを記憶する。そして、記憶部２２０は、図２に示すように、患者データ記憶部２２１と、看護度・看護指示関連付け記憶部２２２と、看護指示猶予期間記憶部２２３と、不要オーダ記憶部２２４と、看護計画記憶部２２５と、看護指示記憶部２２６とを有する。
【００１６】
患者データ記憶部２２１は、看護師による看護計画立案時に作成され、患者のプロファイルに紐付けられ患者データを記憶する。具体的には、患者に一意に付与される患者ＩＤに対応付けて、看護指示のオーダ番号と、看護指示を一意に特定する看護指示ＩＤと、看護計画開始日と、看護計画終了日と、看護度とを記憶する。
【００１７】
例えば、図３に示すように、患者データ記憶部２２１は、患者ＩＤ「００００００５０」に対応付けて、オーダ番号「００００００００」と、看護指示ＩＤ「１２３４５６７」と、看護計画開始日「２０００１２０１（西暦年月日）」と、看護計画終了日「２００１０１０１（西暦年月日）」と、看護度「Ａ１」とを記憶する。ここで、看護度とは、患者に必要とされる看護の度合いを示す情報である。なお、図３は、実施例１に係る患者データ記憶部に記憶される情報の構成例を示す図である。
【００１８】
看護度・看護指示関連付け記憶部２２２は、看護度と、看護指示の内容（口腔ケア、体温測定、清拭など）との関連付けを記憶する。
【００１９】
具体的には、例えば、図４に示すように、看護度・看護指示関連付け記憶部２２２は、看護度「Ａ１」である場合には、口腔ケア「１（要）」、体温測定「１（要）」、清拭「１（要）」などの看護指示の内容を関連付けて記憶する。なお、図４は、実施例１に係る看護度・看護指示関連付け記憶部に記憶される情報の構成例を示す図である。
【００２０】
看護指示猶予期間記憶部２２３は、看護度に変化があった場合に、患者の経過を見守ることを目的として、看護計画の中に存在する既存オーダの中で、不要となるオーダを残しておく猶予期間を記憶する。
【００２１】
具体的には、例えば、図５に示すように、看護指示猶予期間記憶部２２３は、変化前の看護度「Ａ１」に対応付けて、口腔ケアに対応する不要オーダを看護計画に残す猶予期間「９日」、および清拭に対応する不要オーダを看護計画に残す猶予期間「５日」を記憶する。なお、図５は、実施例１に係る看護指示猶予期間記憶部に記憶される情報の構成例を示す図である。
【００２２】
不要オーダ記憶部２２４は、後述する不要オーダ処理部２３１によって抽出された不要オーダを記憶する。具体的には、不要オーダ記憶部２２４は、看護度の変化によって不要となったオーダに対応する看護指示を患者ごとに記憶する。
【００２３】
例えば、図６に示すように、不要オーダ記憶部２２４は、患者ＩＤに対応付けて、不要オーダに対応した看護指示の内容および不要オーダの猶予期間の末日を示す停止日を記憶する。なお、図６は、実施例１に係る不要オーダ記憶部に記憶される情報の構成例を示す図である。
【００２４】
看護計画記憶部２２５は、看護師が担当患者について看護計画を立案する場合に利用する看護計画立案データを記憶する。
【００２５】
具体的には、例えば、図７に示すように、看護計画記憶部２２５は、看護計画ＩＤ「０００００００１」に対応付けて、計画名称「セルフケア」および看護指示ＩＤ「１２３４５６７」を記憶する。なお、図７は、実施例１に係る看護計画記憶部に記憶される情報の構成例を示す図である。
【００２６】
看護指示記憶部２２６は、看護指示に対応する名称を記憶し、具体的には、例えば、図８に示すように、看護指示ＩＤ「１２３４５６７」および指示名称「清拭」を対応付けて記憶する。なお、図８は、実施例１に係る看護指示記憶部に記憶される情報の構成例を示す図である。
【００２７】
制御部２３０は、所定の制御プログラム、各種の処理手順などを規定したプログラムおよび所要データを格納するための内部メモリを有し、これらによって種々の処理を実行する。そして、制御部２３０は、図２に示すように、不要オーダ処理部２３１およびオーダ表示処理部２３２を有する。
【００２８】
不要オーダ処理部２３１は、看護計画立案時に看護指示としてオーダされた既存オーダの中から、患者の状態の変化に応じて不要となるオーダを抽出する。なお、具体的な処理内容については、後述する看護支援装置２００の処理の流れ（図１０）の中で説明する。
【００２９】
オーダ表示処理部２３２は、看護計画立案時の既存オーダに対応する看護指示に含まれる不要オーダに対応する看護指示を看護師が識別できるような状態で、看護師端末１００に表示する。なお、具体的な処理内容については、後述する看護支援装置２００の処理の流れ（図１１）の中で説明する。
【００３０】
ところで、看護支援装置２００は、看護計画の立案を行う看護師から、看護指示のオーダを受け付けると、受け付けたオーダを用いて患者データを作成し、作成した患者データを患者データ記憶部２２１に格納する。以下、図９を参照しつつ、実施例１に係る患者データ作成の流れを簡単に説明する。図９は、実施例１に係る患者データ作成の流れを説明する図である。
【００３１】
看護師は、看護支援装置２００を操作して、担当患者のプロファイル取得を要求する。看護師からの操作を受け付けると、看護支援装置２００は、図９に示すように、担当患者のプロファイルを取得し（図９の（１）参照）、看護師にプロファイルを提供する。
【００３２】
看護師は、看護計画立案データを看護支援装置２００に要求する。看護支援装置２００は、看護師からの要求に応じて、看護計画記憶部２２５から看護計画立案データを読込んで看護師に提供する（図９の（２）参照）。
【００３３】
看護師は、プロファイルの含まれる看護度などを参考として、看護計画立案データの中から適当な看護計画を選択する。看護支援装置２００は、看護師により看護計画が選択されると、選択した看護計画に紐付けられた看護指示を看護指示記憶部２２６から読込んで、看護師に提供する（図９の（３）参照）。
【００３４】
看護師は、選択した看護計画に紐付けられた看護指示の中から適当な看護指示を選択し、選択した看護指示に対応する看護指示ＩＤをオーダする。看護支援装置２００は、看護師からオーダされた看護指示ＩＤを受け付けると（図９の（４）参照）、患者ＩＤ、オーダ番号、看護指示ＩＤ、開始日、終了日および看護度からなる患者データを作成し（図９の（５）参照）、患者データ記憶部２２１に格納する。
【００３５】
［看護支援装置による処理（実施例１）］
図１０および図１１は、実施例１に係る看護支援装置による処理の流れを示す図である。なお、以下では、図１に示す不要オーダ処理部２３１およびオーダ表示処理部２３２による具体的な処理の内容について説明する。
【００３６】
（不要オーダ抽出処理）
まず、図１０を用いて、不要オーダを抽出する場合の処理の流れを説明する。同図に示すように、看護師端末１００から看護度を受け付けると（ステップＳ１肯定）、不要オーダ処理部２３１は、患者データ記憶部２２１から、該当患者の患者データを取得する（ステップＳ２）。
【００３７】
そして、不要オーダ処理部２３１は、患者データ記憶部２２１から取得した該当患者の患者データに含まれる看護度と、入力が受け付けられた該当患者の新たな看護度とを比較して、該当患者の看護度に変化があるか否かを判定する（ステップＳ３）。
【００３８】
判定の結果、該当患者の看護度に変化がある場合には（ステップＳ３肯定）、不要オーダ処理部２３１は、該当患者の患者データに含まれる既存オーダから不要オーダを抽出するとともに、不要オーダの猶予期間を取得する（ステップＳ４）。
【００３９】
具体的には、不要オーダ処理部２３１は、看護度・看護指示関連付け記憶部２２２から、入力が受け付けられた看護度（新たな看護度）に関連付けられた看護指示を取得して、既存オーダから不要オーダを抽出する。また、不要オーダ処理部２３１は、変化する前の看護度に基づいて、不要オーダの猶予期間を看護指示猶予期間記憶部２２３から取得する。
【００４０】
そして、不要オーダ処理部２３１は、不要オーダを不要オーダ記憶部２２４に登録し、さらに不要オーダの猶予期間の末日を停止日として不要オーダ記憶部２２４に登録する（ステップＳ５）。
【００４１】
（看護指示表示処理）
続いて、図１１を用いて、看護師からの要求に応じて、看護指示を看護師端末１００に表示する処理の流れを説明する。同図に示すように、看護師からある患者の看護指示の確認要求があると、オーダ表示処理部２３２は、既存オーダに不要オーダが含まれているか否かを判定する（ステップＳ１）。
【００４２】
具体的には、オーダ表示処理部２３２は、患者データ記憶部２２１から該当患者の既存オーダを取得するとともに、不要オーダ記憶部２２４から不要オーダおよび停止日を取得する。そして、オーダ表示処理部２３２は、既存オーダと不要オーダとを比較して、既存オーダの中に不要オーダが含まれるかどうかを判定する。
【００４３】
判定の結果、既存オーダに不要オーダが含まれている場合には（ステップＳ１肯定）、オーダ表示処理部２３２は、不要オーダ記憶部２２４から取得した停止日により、該当患者の既存オーダの終了日を更新する（ステップＳ２）。そして、オーダ表示処理部２３２は、例えば、図１に示すように、該当患者の既存オーダに対応する看護指示と、不要オーダに対応する看護指示とを区別して看護師端末１００に表示する（ステップＳ３）。
【００４４】
ここで、ステップＳ１の説明に戻ると、既存オーダに不要オーダが含まれているか否かを判定した結果、既存オーダに不要オーダが含まれていない場合には（ステップＳ１否定）、オーダ表示処理部２３２は、不要オーダ記憶部２２４から、該当患者ＩＤに対応付けられた該当不要オーダを削除する（ステップＳ４）。
【００４５】
なお、制御部２３０は、患者データ記憶部２２１に記憶されている既存オーダの終了日を把握しておき、終了日に到達した既存データを患者データ記憶部２２１から削除する。
【００４６】
［実施例１による効果］
上述してきたように、実施例１によれば、看護支援装置２００は、患者に必要とされる看護の度合いを示す看護度に変化がある場合には、看護指示として既にオーダされた既存オーダの見直しを行い、変化した看護度に応じて不要となるオーダを抽出する。そして、既存オーダに対応する看護指示と不要なオーダに対応する看護指示とを区別した状態（例えば、図１参照）でユーザに提供する。
【００４７】
このようなことから、患者の状態の変化に応じて、看護の都度、看護計画に含まれる不要な看護指示を看護師に試行錯誤させることなく、患者の状態の変化に応じた適切かつ迅速な看護の実現を支援できる。
【００４８】
また、上記の実施例１では、患者の状態の変化に応じて不要となるオーダを残しておく猶予期間を設ける。このようなことから、例えば、不要オーダとされた看護指示であっても、患者の容態に応じて、引き続き不要オーダに対応する看護指示の処置を継続するなど、看護師による看護の質をより高めることができる。
【００４９】
なお、上記の実施例１において、患者に必要とされる看護度については、医師や看護師長などが定期的に患者を見回って、患者データ記憶部２２１に記憶されている看護度を更新するようにしてもよい。また、担当看護師が、経験則などに基づいて患者の状態を判断して看護度を決定し、患者データ記憶部２２１に記憶されている看護度を更新するようにしてもよい。
【実施例２】
【００５０】
以下、本願の開示する看護支援装置および看護支援処理プログラムの他の実施形態を説明する。
【００５１】
（１）装置構成等
図２に示した看護支援装置２００の各構成要素は機能概念的なものであり、必ずしも物理的に図示の如く構成されていることを要しない。すなわち、看護支援装置２００の分散・統合の具体的形態は図示のものに限られず、例えば、不要オーダ処理部２３１とオーダ表示処理部２３２とを機能的あるいは物理的に統合する。
【００５２】
このように、看護支援装置２００の全部または一部を、各種の負荷や使用状況などに応じて、任意の単位で機能的または物理的に分散・統合して構成することができる。さらに、看護支援装置２００にて行なわれる各処理機能（図１０および図１１等参照）は、その全部または任意の一部が、ＣＰＵおよび当該ＣＰＵにて解析実行されるプログラムにて実現され、あるいは、ワイヤードロジックによるハードウェアとして実現され得る。
【００５３】
（２）看護支援プログラム
また、上記の実施例１で説明した看護支援装置２００の各種の処理（例えば、図１０および図１１等参照）は、あらかじめ用意されたプログラムをパーソナルコンピュータやワークステーションなどのコンピュータシステムで実行することによって実現することができる。
【００５４】
そこで、以下では、図１２を用いて、上記の実施例１で説明した看護支援装置２００と同様の機能を有する看護支援プログラムを実行するコンピュータの一例を説明する。
【００５５】
図１２は、実施例２に係る看護支援プログラムを実行するコンピュータを示す図である。なお、同図には、看護支援プログラムの実行するコンピュータを説明するために必要となる機能部を記載する。
【００５６】
同図に示すように、看護支援装置２００としてコンピュータ３００は、通信制御部３１０、ＨＤＤ３２０、ＲＡＭ３３０およびＣＰＵ３４０をバス４００で接続して構成される。
【００５７】
ここで、通信制御部３１０は、各種情報のやり取りに関する通信を制御する。ＨＤＤ３２０は、ＣＰＵ３４０による各種処理の実行に必要な情報を記憶する。ＲＡＭ３３０は、各種情報を一時的に記憶する。ＣＰＵ３４０は、各種演算処理を実行する。
【００５８】
そして、ＨＤＤ３２０には、図１２に示すように、図１に示した看護支援装置２００の各処理部と同様の機能を発揮する看護支援プログラム３２１と、看護支援用データ３２２とがあらかじめ記憶されている。なお、この看護支援プログラム３２１を適宜分散させて、ネットワークを介して通信可能に接続された他のコンピュータの記憶部に記憶させておくこともできる。
【００５９】
そして、ＣＰＵ３４０が、この看護支援プログラム３２１をＨＤＤ３２０から読み出してＲＡＭ３３０に展開することにより、図１２に示すように、看護支援プログラム３２１は看護支援プロセス３３１として機能するようになる。すなわち、看護支援プロセス３３１は、看護支援用データ３２２等をＨＤＤ３２０から読み出して、ＲＡＭ３３０において自身に割り当てられた領域に展開し、この展開したデータ等に基づいて各種処理を実行する。
【００６０】
なお、看護支援プロセス３３１は、図１に示した看護支援装置２００の制御部２３０（不要オーダ処理部２３１およびオーダ表示処理部２３２等）において実行される処理に対応する。
【００６１】
なお、上記した看護支援プログラム３２１については、必ずしも最初からＨＤＤ３２０に記憶させておく必要はない。例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」などに各プログラムを記憶させておき、コンピュータ３００がこれらから各プログラムを読み出して実行するようにしてもよい。
【００６２】
さらには、公衆回線、インターネット、ＬＡＮ、ＷＡＮなどを介してコンピュータ３００に接続される「他のコンピュータ（またはサーバ）」などに上記した看護支援プログラム３２１を記憶させておき、コンピュータ３００がこれらから各プログラムを読み出して実行するようにしてもよい。
【符号の説明】
【００６３】
２００  看護支援装置
２１０  通信制御Ｉ／Ｆ部
２２０  記憶部
２２１  患者データ記憶部
２２２  看護度・看護指示関連付け記憶部
２２３  看護指示猶予期間記憶部
２２４  不要オーダ記憶部
２２５  看護計画記憶部
２２６  看護指示記憶部
２３０  制御部
２３１  不要オーダ処理部
２３２  オーダ表示処理部
３００  コンピュータ
３１０  通信制御部
３２０  ＨＤＤ（Hard Disk Drive）
３２１  看護支援プログラム
３２２  看護支援用データ
３３０  ＲＡＭ（Random Access Memory）
３３１  看護支援プロセス
３４０  ＣＰＵ（Central Processing Unit）
４００  バス
【図１】
2010218444.tif 000003
【図２】
2010218444.tif 000004
【図３】
2010218444.tif 000005
【図４】
2010218444.tif 000006
【図５】
2010218444.tif 000007
【図６】
2010218444.tif 000008
【図７】
2010218444.tif 000009
【図８】
2010218444.tif 000010
【図９】
2010218444.tif 000011
【図１０】
2010218444.tif 000012
【図１１】
2010218444.tif 000013
【図１２】
2010218444.tif 000014